(57)【要約】【課題】  着脱可能な情報記憶媒体に格納された情報の不正な使用を容易に抑制することができる情報提供装置を得る。【解決手段】  情報を記憶する着脱可能な情報記憶媒体１０２と、情報記憶媒体１０２から読み取った情報を記録する情報記録手段１０４と、情報記録手段１０４を制御して情報を再生する制御手段１０１と、再生された情報を出力する出力手段１０５とを備えた情報提供装置において、情報記憶媒体１０２が装置から離脱されてからの経過時間を計時する計時手段１０６を備え、制御手段１０１は計時手段１０６により計時された経過時間が規定値を超えた場合には情報記録手段１０４に記録された情報を再生する動作を停止するようにした。【選択図】        図１
2005115777.tif 000002
【特許請求の範囲】
【請求項１】
情報を記憶する着脱可能な情報記憶媒体と、前記情報記憶媒体から読み取った前記情報を記録する情報記録手段と、前記情報記録手段を制御して前記情報を再生する制御手段と、再生された前記情報を出力する出力手段とを備えた情報提供装置において、前記情報記憶媒体が装置から離脱されてからの経過時間を計時する計時手段を備え、前記制御手段は前記計時手段により計時された前記経過時間が規定値を超えた場合には前記情報記録手段に記録された前記情報を再生する動作を停止することを特徴とする情報提供装置。
【請求項２】
制御手段は、計時された経過時間が規定値に達する所定時間前に情報記憶媒体の装置への装着を促す案内を出力手段により出力することを特徴とする請求項１記載の情報提供装置。
【請求項３】
制御手段は、情報記憶媒体が装置に装着されたときに、その情報記憶媒体に記憶された所定の情報と、情報記録手段に記録された照合用の情報との照合を行い、照合結果が所定の条件を満足したときのみ装置の動作を継続することを特徴とする請求項１記載の情報提供装置。
【請求項４】
制御手段は、情報記憶媒体に記憶された所定の情報として、以下の何れかまたは複数の情報を照合することを特徴とする請求項３記載の情報提供装置。
（１）媒体種別
（２）媒体フォーマット
（３）記憶領域サイズ
（４）未使用記憶領域サイズ
（５）ファイル数
（６）ファイルサイズ
（７）ファイル形式
（８）ファイル作成日時
（９）ファイル記憶位置
（１０）ファイル内の情報
【請求項５】
情報記憶媒体は、ＣＤまたはＤＶＤから構成されたことを特徴とする請求項１記載の情報提供装置。
【請求項６】
情報記録手段は、ハードディスクドライブまたは不揮発性メモリーデバイスから構成されたことを特徴とする請求項１記載の情報提供装置。
【請求項７】
計時手段は、ＧＰＳ、電波時計、インターネット上の時刻サーバーの何れかを利用して経過時間を計時することを特徴とする請求項１記載の情報提供装置。
【請求項８】
情報提供装置はナビゲーション装置であり、情報は地図情報を含むことを特徴とする請求項１記載の情報提供装置。
【発明の詳細な説明】
【技術分野】
【０００１】
この発明は、各種情報を提供する情報提供装置の分野に属し、特に着脱可能な情報記憶媒体に格納された情報を利用して情報提供を行う情報提供装置における情報の不正な使用を抑制する方法に関するものである。
【背景技術】
【０００２】
近年、着脱可能な大容量の情報記憶媒体であるＤＶＤ（ Digital Versatile Disk ）と、同じく大容量の情報記録手段であるハードディスクドライブ（ＨＤＤ）を兼ね備えた情報提供装置の開発が盛んに行われている。例えば、車載用のナビゲーション装置、家庭用のビデオレコーダー、パーソナルコンピュータ等においてこのような構成を備えた機器が各種開発されている。
【０００３】
このような情報提供装置において、市販されているＤＶＤに予め格納された情報は著作権により保護されている場合がほとんどであり、正規にＤＶＤを購入した（すなわちその情報料および著作権料を支払った）ユーザーはその使用規定の範囲内でＤＶＤに格納された情報を使用することが認められている。
【０００４】
しかしながら、正規ユーザーから他のユーザーへ上記ＤＶＤを受け渡すことで、正規にＤＶＤを購入していない（すなわちその情報料および著作権料を支払っていない）他のユーザーがＤＶＤに格納された情報を不正にＨＤＤへコピーする等して不正使用する事態が発生してしまうという問題があった。
【０００５】
この様な背景の中、着脱可能な情報記憶媒体に格納された情報を利用して情報提供を行う情報提供装置における情報の不正な使用を抑制する方法に関して、様々な技術が開示されている。
【０００６】
例えば、不正に複写されたデータを使用することができないようにしようとするナビゲーション装置が開示されている（特許文献１参照）。すなわち、第１の記録媒体をセットするための第１のデータ記録部と、第２の記録媒体をセットするための第２のデータ記録部と、前記第１の記録媒体にデータがあるかどうかを判断するデータ判定処理手段と、前記第１の記録媒体にデータがある場合に、第１、第２の記録媒体のデータのうちの一方を選択し、第１の記録媒体にデータがない場合に、データの選択を中止するデータ選択処理手段とを有するので、第１の記録媒体にデータがない場合に、データの選択が中止されるので、不正に複写されたデータを使用することができないというものである。
【０００７】
また、情報処理装置にデイスク状記録媒体が装填されたときに、その種類を判別することにより、装填されたデイスク状記録媒体が書換可能型であるときにはエラ−として処理を中止し違法コピ−を防止しようとする違法コピ−排除方法が開示されている（特許文献２参照）。すなわち、書換可能型デイスク用カ−トリツジの場合、識別用凹穴は２個なので、スイツチは２個のパルスを出力する。カウンタは、スイツチから出力されるパルスを計数し、計数値２を出力する。デイスク種類識別部は、カウンタの出力値から、装填されたデイスクが書換可能型であると判断する。再生専用型デイスクカ−トリツジが装填されたときにはスイツチは、１個のパルスを出力するだけであり、カウンタの出力値は１となり、デイスク種類識別部は、カウンタの出力値から、装填されたデイスクが再生専用型であると判断するというものである。
【０００８】
【特許文献１】特開２００３−２１６５０４号公報
【特許文献２】特開平６−３０２０９２号公報
【発明の開示】
【発明が解決しようとする課題】
【０００９】
しかしながら、上記の特許文献１に記載されたような従来の方法では、正規に購入したＤＶＤ等の記憶媒体を常時装置に装着しておかなければならず、ナビゲーション装置等の場合、地図情報用ＤＶＤと映画等の他の情報用ＤＶＤとの入替えができなくなる等の問題があった。
【００１０】
また、上記の特許文献２に記載されたような従来の方法では、カ−トリツジに装填されていないＤＶＤ等の記憶媒体の種類を判別することが困難である等の問題があった。
【００１１】
この発明は、上記のような問題点を解消するためになされたもので、着脱可能な情報記憶媒体に格納された情報の不正な使用を容易に抑制することができる情報提供装置を得ることを目的とする。
【課題を解決するための手段】
【００１２】
この発明に係る情報提供装置は、情報を記憶する着脱可能な情報記憶媒体と、情報記憶媒体から読み取った情報を記録する情報記録手段と、情報記録手段を制御して情報を再生する制御手段と、再生された情報を出力する出力手段とを備えた情報提供装置において、情報記憶媒体が装置から離脱されてからの経過時間を計時する計時手段を備え、制御手段は計時手段により計時された経過時間が規定値を超えた場合には情報記録手段に記録された情報を再生する動作を停止するようにしたものである。
【発明の効果】
【００１３】
この発明に係る情報処理装置によれば、着脱可能な情報記憶媒体に格納された情報の不正な使用を容易に抑制することができるという効果がある。
【発明を実施するための最良の形態】
【００１４】
以下、この発明を実施するための最良の形態について説明する。
【００１５】
実施の形態１．
この発明に係る情報提供装置の実施の形態１として、移動体としての車両に搭載されるナビゲーション装置に適用した場合の例を述べる。
【００１６】
図１は、この発明の実施の形態１におけるナビゲーション装置の全体構成図を示している。図１において、１０１は装置全体の動作を制御するための制御手段としてのコントロールユニット、１０２は更新用道路地図情報を格納した着脱可能な情報記憶媒体としてのＤＶＤ−ＲＯＭ（ Read Only Memory ）、１０３はＤＶＤ−ＲＯＭ１０２から情報を読み込むためのＤＶＤドライブ、１０４は道路地図情報を格納する情報記録手段としてのハードディスクドライブ（ＨＤＤ）、１０５は情報を表示するための出力手段としてのディスプレイ、１０６は原子時計を搭載したＧＰＳ（ Global Positioning System ）衛星からの受信情報をもとに現在の正確な日時情報を取得する計時手段としてのＧＰＳ受信機である。
【００１７】
通常、コントロールユニット１０１はＨＤＤ１０４に格納された道路地図情報を使用してナビゲーション動作を実行するが、ＤＶＤ−ＲＯＭ１０２からＨＤＤ１０４へ更新用道路地図情報をコピーすることで、ＨＤＤ１０４内の道路地図情報を更新することが可能である。
【００１８】
図２、図３、図４は、実施の形態１におけるナビゲーション装置の動作を示すフローチャートである。図２のフローチャートと図３のフローチャートは完全に独立して同時に動作する。図４のフローチャートは図２、図３のそれぞれのフローチャートにおけるＤＶＤ判定処理のステップでの共通の動作を示すフローチャートである。
【００１９】
まず、図２のフローチャートについて説明する。図２は、実施の形態１におけるナビゲーション装置の基本動作を示すフローチャートを示している。電源投入によりナビゲーション装置が動作を開始し図２に示すステップＳ２０１がスタートする。このステップＳ２０１はＧＰＳ受信機１０６にて逐次算出される現在の日時情報を取得するステップである。日時情報が取得できるとステップＳ２０２へ進む。
【００２０】
ステップＳ２０２では、ＨＤＤ１０４の所定の位置に記録されたＤＶＤ−ＲＯＭ１０２の前回挿入日時とステップＳ２０１で取得された現在日時とを比較し、前回ＤＶＤ−ＲＯＭ１０２挿入時からの経過時間ｔを算出する。算出が完了するとステップＳ２０３へ進む。
【００２１】
ステップＳ２０３では、ステップＳ２０２で算出された経過時間ｔと規定値である動作可否判定時間Ｔ０とを比較し、ｔ＜Ｔ０であればステップＳ２０４へ進み、ｔ＜Ｔ０でないなら、ステップＳ２０７へ進む。
【００２２】
ステップＳ２０４では、経過時間ｔとユーザー告知判定時間Ｔ１とを比較する。ｔ＜Ｔ１ならばステップＳ２１１へ進みナビゲーション装置は正常に動作を行う。ｔ＜Ｔ１でないならステップＳ２０５へ進む。
【００２３】
ステップＳ２０５では、ディスプレイ１０５に「もうすぐ動作可能期間が切れる」旨の事前告知メッセージを表示する。その後、ステップＳ２０６でメッセージ表示から一定時間経過後またはユーザー操作により事前告知メッセージを消去し、ステップＳ２１１へ進み、ナビゲーション装置は正常に動作を行う。
【００２４】
このように、使用期限となる日時の所定時間前にユーザーに対して通知を行うことで、装置が突然使用不能になることを防止することができる。
【００２５】
ステップＳ２０７では、ディスプレイ１０５に「動作可能期間を過ぎている」旨の警告メッセージを表示し、ユーザーへ更新用道路地図情報の格納されたＤＶＤ−ＲＯＭ１０２を挿入することを促し、ＤＶＤ−ＲＯＭ１０２が挿入されるまで待機する。
【００２６】
ＤＶＤ−ＲＯＭ１０２が挿入されるとステップＳ２０８へ進み、挿入されたＤＶＤ−ＲＯＭ１０２が道路地図情報をＨＤＤ１０４へコピーした際のものと同一のＤＶＤ−ＲＯＭ１０２かどうかを判定する。ステップＳ２０８では、その判定処理を後述する図４のフローチャートに基づいて行う。
【００２７】
ステップＳ２０８での判定の結果、正しいＤＶＤ−ＲＯＭ１０２と判定された場合は、ステップＳ２０９からステップＳ２１０へ進んで警告メッセージを消去した後、ステップＳ２１１へ進み、ナビゲーション装置は正常に動作を行う。ステップＳ２０８で正しいＤＶＤ−ＲＯＭ１０２と判定されなかった場合は、ステップＳ２０９からステップＳ２０７へ戻り、警告メッセージの表示を継続する。
【００２８】
ステップＳ２０７、Ｓ２０８、Ｓ２０９により、ｔ＜Ｔ０ではなく動作可能期限を過ぎた場合には正しいＤＶＤ−ＲＯＭ１０２が挿入されるまでナビゲーション装置は正常に動作しないことになる。すなわち、コントロールユニット１０１によりＨＤＤ１０４に記録された各種情報を再生する動作が停止され、ナビゲーション装置として機能しなくなる。
【００２９】
ＤＶＤ−ＲＯＭ１０２を正規に購入したユーザーであればすぐにＤＶＤ−ＲＯＭ１０２を挿入してナビゲーション装置を使用することが可能となるが、不正使用ユーザーはＤＶＤ−ＲＯＭ１０２を持たないためナビゲーション装置を使用することができない。
【００３０】
このように、ユーザーに対して定期的に正規のＤＶＤ−ＲＯＭ１０２挿入を義務付けることで、複雑なユーザー認証処理を行うことなく、道路地図情報の不正な使用を抑制することが可能である。
【００３１】
次に、図３のフローチャートについて説明する。図３は、実施の形態１におけるナビゲーション装置のＤＶＤ−ＲＯＭ１０２の挿入日時情報更新処理の概略動作を示すフローチャートを示している。電源投入によりナビゲーション装置が動作を開始し図３に示すステップＳ３０１がスタートする。このステップＳ３０１はＤＶＤドライブ１０３を監視してＤＶＤ−ＲＯＭ１０２が挿入されるのを待ち、ＤＶＤ−ＲＯＭ１０２が挿入されるとステップＳ３０２へ進む。
【００３２】
ステップＳ３０２では、ＤＶＤ−ＲＯＭ１０２の内容が、道路地図情報をＨＤＤ１０４へコピーした際のものと同一のＤＶＤ−ＲＯＭ１０２かどうかを判定する。ステップＳ３０２では、その判定処理を後述する図４のフローチャートに基づいて行う。
【００３３】
ステップＳ３０２での判定の結果、正しいＤＶＤ−ＲＯＭ１０２と判定された場合は、ステップＳ３０３からステップＳ３０４へ進む。正しいＤＶＤ−ＲＯＭ１０２と判定されなかった場合は、ステップＳ３０３からステップＳ３０１へ戻り、再度ＤＶＤ−ＲＯＭ１０２が挿入されるのを待つ。
【００３４】
ステップＳ３０４では、ＧＰＳ受信機１０６にて逐次算出される日時情報を取得する。日時情報が取得できるとステップＳ３０５へ進む。
【００３５】
ステップＳ３０５では、ＨＤＤ１０４の所定の位置に記録されている前回のＤＶＤ−ＲＯＭ１０２挿入日時をステップＳ３０４で取得した日時に更新する。
【００３６】
以上のようにして、ＤＶＤ−ＲＯＭ１０２の挿入日時を更新することができる。
【００３７】
次に、図４のフローチャートについて説明する。図４は、実施の形態１におけるナビゲーション装置のＤＶＤ−ＲＯＭ１０２の判定処理の概略動作を示すフローチャートを示している。すなわち、挿入されたＤＶＤ−ＲＯＭ１０２が道路地図情報をＨＤＤ１０４へコピーした際のものと同一のＤＶＤ−ＲＯＭ１０２かどうかを判定する際の処理を示している。
【００３８】
まず最初に、ステップＳ４０１において、挿入されたメディア（媒体）の種別を取得し、メディアが非記録型のＤＶＤ−ＲＯＭ１０２かどうかを判定する。
【００３９】
ステップＳ４０１での判定の結果、メディアがＤＶＤ−ＲＯＭ１０２である場合にはステップＳ４０２からステップＳ４０３へ進む。メディアがＤＶＤ−ＲＯＭ１０２でない場合にはステップＳ４０２からＳ４０８へ進み、挿入されたメディアは正しいＤＶＤ−ＲＯＭ１０２ではないと判定する。
【００４０】
ステップＳ４０３では挿入されたＤＶＤ−ＲＯＭ１０２に記録されているファイル数を取得し、ＨＤＤ１０４へ道路地図情報をコピーする際に所定の位置に保存しておいたファイル数情報との比較を行う。
【００４１】
ステップＳ４０３での比較の結果、ＤＶＤ−ＲＯＭ１０２に記録されたファイル数がＨＤＤ１０４に保存されたファイル数と同一であればステップＳ４０４からステップＳ４０５へ進む。異なる場合にはステップＳ４０４からステップＳ４０８へ進み、挿入されたＤＶＤ−ＲＯＭ１０２は正しいＤＶＤ−ＲＯＭ１０２ではないと判定する。
【００４２】
ステップＳ４０５では挿入されたＤＶＤ−ＲＯＭ１０２に記録されている全てのファイルのファイルサイズを取得し、ＨＤＤ１０４へ道路地図情報をコピーする際に所定の位置に保存しておいたファイルサイズ情報との比較を行う。
【００４３】
ステップＳ４０５での比較の結果、ＤＶＤ−ＲＯＭ１０２に記録された全てのファイルのファイルサイズがＨＤＤ１０４に保存されたファイルサイズ情報と同一であればステップＳ４０６からステップＳ４０７へ進み、挿入されたＤＶＤ−ＲＯＭ１０２は正しいＤＶＤ−ＲＯＭ１０２であると判定する。
【００４４】
ＤＶＤ−ＲＯＭ１０２に記録された全てのファイルのファイルサイズのうち、ＨＤＤ１０４に保存されたファイルサイズ情報と異なるものが１つでも存在する場合にはステップＳ４０６からステップＳ４０８へ進み、挿入されたＤＶＤ−ＲＯＭ１０２は正しいＤＶＤ−ＲＯＭ１０２ではないと判定する。
【００４５】
以上のようにして、挿入されたＤＶＤ−ＲＯＭ１０２が正しいＤＶＤ−ＲＯＭ１０２か否かを判定することができる。
【００４６】
図５は、実施の形態１におけるナビゲーション装置の事前告知メッセージ表示画面例を示す図であり、図２のステップＳ２０５で表示する事前告知メッセージの表示画面例を示している。
【００４７】
図６は、実施の形態１におけるナビゲーション装置の動作期限切れメッセージ表示画面例を示す図であり、図２のステップＳ２０７で表示する警告メッセージの表示画面例を示している。
【００４８】
尚、上記説明では図２のステップＳ２０４、Ｓ２０５、Ｓ２０６にてユーザーに対して事前告知メッセージにより警告表示を行う場合について示したが、事前警告の有無はどちらでも構わない。
【００４９】
また、図４にてＤＶＤ−ＲＯＭ１０２の判定方法として、媒体種別、ファイル数、ファイルサイズによる判定をする場合の例を示したが、判定方法として、以下のいずれかまたは複数の情報を照合する方法を利用したものであってもよい。
（１）媒体種別
（２）媒体フォーマット
（３）記憶領域サイズ
（４）未使用記憶領域サイズ
（５）ファイル数
（６）ファイルサイズ
（７）ファイル形式
（８）ファイル作成日時
（９）ファイル記憶位置
（１０）ファイル内の情報
【００５０】
また、着脱可能な情報記憶媒体としてＤＶＤ−ＲＯＭ１０２を利用した場合の例を示したが、これに限定されるものではなく、他のディスク型の情報記憶媒体であるＣＤ−ＲＯＭ（ Compact Disc − Read Only Memory ）、ＣＤ−Ｒ（ Recordable ）、ＣＤ−ＲＷ（ Rewritable ）、ＤＶＤ±Ｒ、ＤＶＤ±ＲＷ、ＤＶＤ−ＲＡＭ（ Random Access Memory ）、ＭＤ（ Mini Disk 、登録商標）等の光ディスクや、ＣＦ（ Compact Flash ）カード、スマートメディア（登録商標）、ＳＤメモリーカード（登録商標）、メモリースティック（登録商標）、ＩＣ（ Integrated Circuit ）メモリーカード、ＩＤカード等の磁気ストライプ付の磁気メモリーカード、光メモリーカード等のメモリーカードや、フレキシブルディスク等の磁気ディスクや、カセットテープ等のカートリッジ式の磁気テープや、その他の各種情報記憶媒体を利用したものであってもよい。
【００５１】
また、情報記録手段としてＨＤＤ１０４を利用した場合の例を示したが、不揮発性メモリーデバイス等のその他の情報記録手段を利用したものであってもよい。
【００５２】
また、出力手段としてディスプレイ１０５を利用した場合の例を示したが、音声出力手段等のその他の出力手段を利用したものであってもよい。
【００５３】
また、計時手段としてＧＰＳ受信機１０６を利用した場合の例を示したが、電波時計またはインターネット上の時刻サーバーを利用した方法や、その他の計時方法を利用したものであってもよい。
【００５４】
また、情報として道路地図情報を利用した場合の例を示したが、その他の各種情報を利用したものであってもよい。
【００５５】
また、情報提供装置として主に車両に搭載されるナビゲーション装置へ適用した場合の例を示したが、利用者が携帯する携帯電話、ＰＨＳ、ＰＤＡ（ Personal Digital Assistant ）等の携帯情報端末機器や、バス、列車、船舶、航空機等の他の移動体に搭載されるナビゲーションシステムや、その他の各種移動体情報システムに適用してもよい。さらに、移動体に搭載される機器に限らず、事務所や家庭等に固定設置される情報提供装置に応用してもよい。
【００５６】
以上のように、実施の形態１によれば、情報を記憶する着脱可能な情報記憶媒体と、情報記憶媒体から読み取った情報を記録する情報記録手段と、情報記録手段を制御して情報を再生する制御手段と、再生された情報を出力する出力手段とを備えた情報提供装置において、情報記憶媒体が装置から離脱されてからの経過時間を計時する計時手段を備え、制御手段は計時手段により計時された経過時間が規定値を超えた場合には情報記録手段に記録された情報を再生する動作を停止するようにしたので、着脱可能な情報記憶媒体に格納された情報の不正な使用を容易に抑制することができる。
【００５７】
また、実施の形態１によれば、制御手段は、計時された経過時間が規定値に達する所定時間前に情報記憶媒体の装置への装着を促す案内を出力手段により出力するようにしたので、装置が突然使用不能になることを防止することができる。
【００５８】
また、実施の形態１によれば、制御手段は、情報記憶媒体が装置に装着されたときに、その情報記憶媒体に記憶された所定の情報と、情報記録手段に記録された照合用の情報との照合を行い、照合結果が所定の条件を満足したときのみ装置の動作を継続するようにしたので、着脱可能な情報記憶媒体に格納された情報の不正な使用を確実に抑制することができる。
【００５９】
また、実施の形態１によれば、制御手段は、情報記憶媒体に記憶された所定の情報として、以下の何れかまたは複数の情報を照合するようにしたので、着脱可能な情報記憶媒体に格納された情報の不正な使用をさらに確実に抑制することができる。
（１）媒体種別
（２）媒体フォーマット
（３）記憶領域サイズ
（４）未使用記憶領域サイズ
（５）ファイル数
（６）ファイルサイズ
（７）ファイル形式
（８）ファイル作成日時
（９）ファイル記憶位置
（１０）ファイル内の情報
【００６０】
また、実施の形態１によれば、情報記憶媒体は、ＣＤまたはＤＶＤから構成するようにしたので、ＣＤまたはＤＶＤに記憶された情報の不正な使用を抑制することができる。
【００６１】
また、実施の形態１によれば、情報記録手段は、ハードディスクドライブまたは不揮発性メモリーデバイスから構成するようにしたので、ハードディスクドライブまたは不揮発性メモリーデバイスを有する情報提供装置において情報の不正な使用を抑制することができる。
【００６２】
また、実施の形態１によれば、計時手段は、ＧＰＳ、電波時計、インターネット上の時刻サーバーの何れかを利用して経過時間を計時するようにしたので、経過時間を正確に計時することができ、経過時間の不正操作等による情報の不正な使用を抑制することができる。
【００６３】
また、実施の形態１によれば、情報提供装置はナビゲーション装置であり、情報は地図情報を含むようにしたので、ナビゲーション装置における地図情報の不正な使用を抑制することができる。
【図面の簡単な説明】
【００６４】
【図１】この発明の実施の形態１におけるナビゲーション装置の全体構成図である。
【図２】この発明の実施の形態１におけるナビゲーション装置の基本動作を示すフローチャートである。
【図３】この発明の実施の形態１におけるナビゲーション装置のＤＶＤ挿入日時情報更新処理の概略動作を示すフローチャートである。
【図４】この発明の実施の形態１におけるナビゲーション装置のＤＶＤ判定処理の概略動作を示すフローチャートである。
【図５】この発明の実施の形態１におけるナビゲーション装置の事前告知メッセージ表示画面例を示す図である。
【図６】この発明の実施の形態１におけるナビゲーション装置の動作期限切れメッセージ表示画面例を示す図である。
【符号の説明】
【００６５】
１０１  コントロールユニット、１０２  ＤＶＤ−ＲＯＭ、１０３  ＤＶＤドライブ、１０４  ハードディスクドライブ（HDD）、１０５  ディスプレイ、１０６  ＧＰＳ受信機。
【図１】
2005115777.tif 000003
【図２】
2005115777.tif 000004
【図３】
2005115777.tif 000005
【図４】
2005115777.tif 000006
【図５】
2005115777.tif 000007
【図６】
2005115777.tif 000008